(57)【要約】【課題】海面付近の層での使用が容易なエギの提供の提供。【解決手段】本発明に係るエギ２は、海面に浮く。このエギ２は、ボディ４、傘針２４、２６及び水受け面２８を備えている。この傘針２４、２６は、ボディ４の後端に取り付けられている。この水受け面２８は、ボディ４の前方に位置している。この水受け面２８は、ボディ４の前方に向かって体高方向下向きに傾斜している。好ましくは、このエギ２の水受け面２８は、エギ２の重心より前方に位置している。好ましくは、このエギ２は、重錘１２を備えている。この重錘１２は、ボディ４の前方の下面に取り付けられている。【選択図】図１
2010068715.tif 000002
【特許請求の範囲】
【請求項１】
ボディ、傘針及び水受け面を備えており、
この傘針がボディの後端に取り付けられており、
この水受け面がボディの前方に位置しており、
この水受け面がボディの前方に向かって体高方向下向きに傾斜しており、
海面に浮くエギ。
【請求項２】
上記水受け面がその重心より前方に位置している請求項１に記載のエギ。
【請求項３】
重錘を備えており、
この重錘がボディの前方の下面に取り付けられている請求項１又は２に記載のエギ。
【請求項４】
上記ボディが前方に位置するヘッドと、中央に位置する腹部と、後方に位置するテールとを備えており、
このヘッド、腹部及びテールが一体に形成されており
このボディがヘッドと腹部との間で屈曲しており、
この屈曲向きがヘッドに対して腹部を上方向きにされており、
このボディが腹部とテールとの間で屈曲しており、
この腹部とテールとの間の屈曲向きがヘッドと腹部との間の屈曲向きと逆向きにされている請求項１から３のいずれかに記載のエギ。
【請求項５】
上記水受け面が重錘とボディ前端との間に位置している請求項１又は３に記載のエギ。
【請求項６】
左右に延びる一対のウィングを備えており、
このウィングがボディの側面から延びており、
上記水受け面がこのウィングの上面に形成されている請求項１から５いずれかに記載のエギ。
【請求項７】
上記ボディの上面の先端に水受け面が形成されている請求項１から５いずれかに記載のエギ。
【請求項８】
前方に延びるリップを備えており、
このリップがボディ下面から延びており、
上記水受け面がこのリップの上面に形成されている請求項１から５いずれかに記載のエギ。
【発明の詳細な説明】
【技術分野】
【０００１】
この発明は、イカ釣りに使用される疑似餌、すなわちエギに関する。
【背景技術】
【０００２】
近年、エギングと称されるイカ釣りが盛んに行われている。このイカ釣りには、エギが用いられる。エギは、ボディと、アイと、針部と、重錘とを備えている。ボディは木又は合成樹脂からなり、エビに似た形態を備えている。アイには、ラインが結ばれる。キャストされ、着水したエギは、海底に向かって沈降する。この動作は、「フォール」と呼ばれている。釣竿が大きく上方にしゃくられると、ラインに引っ張られてエギは高速で上方へと移動する。この動作は、「ジャンプ」と称されている。ラインが巻かれつつ竿先が左右に連続的に動かされると、エギは左右にジグザグに移動する。この動作は、「ダート」と称されている。これらの動作により、イカはエギをベイトと勘違いし、エギに抱きつく。このとき、イカに針部が引っかかり、イカが釣り上げられる。
【０００３】
エギの沈降姿勢は、その重心位置に大きく依存する。重心が後寄りのエギは、ヘッドとテールとが水平を保ちつつ沈降する。一方、重心が前寄りのエギは、テールよりもヘッドが下に位置しつつ沈降する。エギの沈降速度も、その重心位置に大きく依存する。重心が後寄りのエギは、ゆっくりと沈降する。一方、重心が前寄りのエギは、速く沈降する。ジグザグに移動するときの幅であるダート幅も、エギの重心位置に大きく依存する。
【０００４】
浅場のエギングには、重心が後寄りのエギが用いられる。ゆっくり沈降することで、このエギはイカにアピールする時間が長い。また、このエギは、藻掛かりし易いポイントで用いられる。このエギは、藻の上でイカにアピールできる。エギは、この重錘の量や位置によりその沈降の仕方及び沈降の速さが異なる。その釣り場に適したエギの選定は、釣り人の勘と経験とに委ねられている。
【０００５】
株式会社シマノ発行の「2007 Fishing Tackle Catalogue」の第２７４頁には、水中で水平姿勢を保つエギが記載されている。このエギは、水平姿勢で沈降するこで水平面に対して比較的小さな角度でスライド沈降する。これにより、浅場や藻場でもイカにアピールし易い。
【非特許文献１】株式会社シマノ発行の「2007 Fishing Tackle Catalogue」
【発明の開示】
【発明が解決しようとする課題】
【０００６】
従来のエギは、いずれにしても海底に向かって沈降する。従って、エギは浅場では海底に着きやすい。エギは、藻場では藻に絡み付かれやすい。従来のエギは、浅場及び藻場では根掛かりし易い。従来のエギを用いた浅場及び藻場のエギングでは、釣人の経験と技術とが要求される。このような海面付近の層を狙ったエギングは、容易ではない。また、従来のエギは、海面のベイトを狙うイカに対してはアピールが弱い。
【０００７】
本発明の目的は、海面のベイトを狙うイカが釣れるエギであり、海面付近の層での使用が容易なエギの提供にある。
【課題を解決するための手段】
【０００８】
本発明に係るエギは、海面に浮く。このエギは、ボディ、傘針及び水受け面を備えている。この傘針は、ボディの後端に取り付けられている。この水受け面は、ボディの前方に位置している。この水受け面は、ボディの前方に向かって体高方向下向きに傾斜している。
【０００９】
好ましくは、このエギの水受け面は、エギの重心より前方に位置している。
【００１０】
好ましくは、このエギは、重錘を備えている。この重錘は、ボディの前方の下面に取り付けられている。
【００１１】
好ましくは、このエギのボディは、前方に位置するヘッドと、中央に位置する腹部と、後方に位置するテールとを備えている。このヘッド、腹部及びテールは、一体に形成されている。このボディは、ヘッドと腹部との間で屈曲している。この屈曲向きは、ヘッドに対して腹部を上方向きにされている。このボディは、腹部とテールとの間で屈曲している。この腹部とテールとの間の屈曲向きは、ヘッドと腹部との間の屈曲向きと逆向きにされている。
【００１２】
好ましくは、このエギの水受け面は、重錘とボディ前端との間に位置している。
【００１３】
好ましくは、このエギは、左右に延びる一対のウィングを備えている。このウィングは、ボディの側面から延びている。上記水受け面は、このウィングの上面に形成されている。
【００１４】
好ましくは、このエギは、ボディの上面の先端に水受け面が形成されている。
【００１５】
好ましくは、このエギは、前方に延びるリップを備えている。このリップは、ボディの下面から延びている。上記水受け面は、このリップの上面に形成されている。
【発明の効果】
【００１６】
本発明に係るエギは、自重では沈まず、海面に浮く。このエギは、浅場や藻場でも根掛かりし難い。このエギは、水受け面をボディの前方に備えている。この水受け面が海水の抵抗を受けることにより、海面付近の層でイカにアピールするアクションをさせやすい。このエギは、初心者でも容易に浅場や藻場でエギングを楽しむことができる。このエギでは、海面のベイトを狙うイカに対してアピール効果が大きい。
【発明を実施するための最良の形態】
【００１７】
以下、適宜図面が参照されつつ、好ましい実施形態に基づいて本発明が詳細に説明される。
【００１８】
図１は、本発明の一実施形態に係るエギ２が示された正面図である。図２は、図１のエギ２の平面図である。図１において、左側がエギ２の前方であり、右側がエギ２の後方である。図１の上下方向がエギ２の体高方向である。このエギ２は、ボディ４、ヒレ６、アイ８、針部１０、重錘１２及び一対のウィング１４を備えている。
【００１９】
ボディ４は、ヘッド１６、腹部１８及びテール２０からなる。ヘッド１６は、ボディ４の前方に位置する。腹部１８は、ボディ４の中央に位置する。テール２０は、ボディ４の後方に位置する。このヘッド１６、腹部１８及びテール２０は、一体に形成されている。ヘッド１６は、前方端に向かって先細りである。ボディ４は、ヘッド１６と腹部１８との間で屈曲している。この屈曲向きは、ヘッド１６に対して腹部１８が上方向きである。テール２０は、後方端に向かって先細りである。ボディ４は、腹部１８とテール２０との間で屈曲している。この屈曲向きは、ヘッド１６と腹部１８との間の屈曲向きと逆向きである。このボディ４の形状は、ベイトに類似している。ボディ４は、木又は合成樹脂からなる。ボディ４の表面が着色されてもよい。ボディ４の表面に、模様が画かれてもよい。この着色や模様は、イカに対するアピールに寄与する。ボディ４にクロスが巻かれ、このクロスが着色されてもよい。
【００２０】
ヒレ６は、毛羽状である。ヒレ６は、合成樹脂等からなる。ヒレ６の一端は、ボディ４のヘッド１６の側面に、接着剤等の手段によって接合されている。ヒレ６は、イカに対するアピールに寄与する。
【００２１】
アイ８は、ボディ４のヘッド１６の前端に位置している。アイ８は、金属線が曲げられて形成されている。金属線の後端は、ボディ４に埋め込まれており、ボディ４に堅固に固定されている。このアイ８には、図示されないラインが結ばれる。
【００２２】
針部１０は、ボディ４のテール２０の後端に位置している。針部１０は、軸２２、前傘針２４及び後傘針２６からなる。軸２２の前端は、ボディ４に埋め込まれており、ボディ４に堅固に固定されている。前傘針２４は、軸２２の途中から前方に向かって延びている。多数の前傘針２４が、放射状に配列されている。後傘針２６は、軸２２の後端から前方に向かって延びている。多数の後傘針２６が、放射状に配列されている。前傘針２４及び後傘針２６は、先細り形状である。前傘針２４及び後傘針２６の先端は、鋭く尖っている。
【００２３】
重錘１２は、ボディ４の前方に位置している。重錘１２は、ボディ４のヘッド１６の下面から下方に突出している。重錘１２は、ボディ４に埋設されている。重錘１２は、高比重の材料からなる。重錘１２は、典型的には鉛又は鉛合金からなる。重錘１２は、タングステン又はタングステン合金からなってもよい。この重錘１２の重量及びボディ４に対する前後方向位置によりエギ２の海面での姿勢が調節されうる。
【００２４】
一対のウィング１４は、木又は合成樹脂からなる。ウィング１４は、エギ２の前方に位置している。一方のウィング１４は、ボディ４のヘッド１６の左側面に位置している。他方のウィング１４は、ボディ４のヘッド１６の右側面に位置している。ウィング１４は、ボディ４の前後方向において前端と重錘との間に位置している。ウィング１４の形状は、板状である。ウィング１４は、ボディ４の側面から突出している。ウィング１４は、エギ２の前方に向かって体高方向下向きに傾斜している。ウィング１４は、水受け面２８を備えている。この水受け面２８は、ウィング１４の上面に形成されている。この水受け面２８は、平面である。水受け面２８は、エギ２の前方に向かって体高方向下向きに傾斜している。水受け面２８は、エギ２の重心より前方に位置している。
【００２５】
図３は、図１のエギ２の使用状態が示された概念図である。図３のエギ２は、ライン３０がアイ８に結び付けられている。キャストされて着水したエギ２が示されている。このエギ２は、海面に浮いている。このエギ２は、海水より比重が小さいので自重では沈まない。このエギ２は、エギ２の下面を下向きにして浮いている。このエギ２の重心は、ヘッド１６に位置している。このエギ２は、ヘッド１６及びウィング１４を海中に位置させて浮いている。このエギ２は、ヘッド１６をテール２０より下方にしている。このエギ２は、ヘッド１６の先端が水平方向に向いている。この姿勢が、このエギ２の水平姿勢である。このエギ２は、自然な姿勢が維持されている。
【００２６】
図４は、このエギ２の使用状態が示された概念図である。この図４では、ライン３０は図示されていない。このエギ２は、水受け面２８を海中に位置させて浮いている。ライン３０が引かれると、エギ２は水受け面２８に海水の抵抗を受ける。これにより、エギ２はヘッド１６を下方に向けて潜行する。これにより、容易に潜行させることができる。
【００２７】
ライン３０が弛められると、エギ２は海面に向かって浮上し始める。エギ２は、水平姿勢で、ゆっくりと浮上する。やがて、エギ２は、図３に示された水平姿勢で海面に浮く。釣人は、ライン３０の引き方によりエギ２の潜行深さを調整できる。このエギ２は、浅場の水深又は藻場の藻の状況に合わせて、潜行深さを容易に調整できる。このエギ２は、浅場又は藻場で根掛かりし難い。このエギ２では、海面のベイトを狙うイカに対してアピール効果が大きい。
【００２８】
釣人により、ライン３０が巻かれつつ竿先が左右に連続的に動かされる。図３に示されるように、このエギ２は、ヘッド１６を海中に位置させて浮いている。このエギ２は、このライン３０の引き方によりエギ２の左右方向にジグザグに移動する。このエギ２は、海面付近の層で容易にダートさせることができる。
【００２９】
海中のヘッド１６の先端を前方に向けた姿勢で浮くことにより、このエギ２は、潜行及びダートのアクションをより容易にできる。このエギ２では、水受け面２８が、重錘１２とヘッド１６の先端の間に位置している。この水受け面２８が確実に海中に位置する。これにより、潜行及びダートのアクションをより容易にできる。
【００３０】
このエギ２は、海面付近の層でイカにアピールするアクションを容易にできる。イカがエギ２を抱くと、イカの触手が前傘針２４又は後傘針２６に引っ掛かる。これにより、イカが釣り上げられる。
【００３１】
図５は、本発明の他の実施形態にかかるエギ３２が示された正面図である。図６は、図５のエギ３２の平面図である。このエギ３２は、ボディ３４、ヒレ６、アイ８、針部１０及び重錘１２を備えている。ここでは、エギ２と異なる構成が説明される。エギ２と同様の構成については、その説明が省略される。
【００３２】
ボディ３４は、ヘッド３６、腹部３８及びテール４０からなる。ボディ３４は、水受け面４２を備えている。この水受け面４２は、ボディ３４の前方に位置している。このエギ３２では、ヘッド３６の先端に形成されている。この水受け面４２は、ボディ３４の前後方向において前端と重錘との間に位置している。この水受け面４２は、平面である。この水受け面４２は、エギ３２の前方に向かって体高方向下向きに傾斜している。水受け面４２は、エギ３２の重心より前方に位置している。
【００３３】
このエギ３２は、海面に浮く。エギ３２は、海水より比重が小さい。このエギ３２は、エギ３２の下面を下向きにして浮く。ヘッド３６を海中に位置されて水平姿勢を維持する。このエギ２は、自然な姿勢が維持される。
【００３４】
このエギ３２は、ラインが引かれることにより、水受け面４２に海水の抵抗を受ける。これにより、エギ３２はヘッド３６を下方に向けて潜行する。このエギ３２は、水受け面４２を海中に位置させて浮いている。これにより、容易に潜行させることができる。ラインが弛められると、エギ３２は海面に向かって浮上し始める。エギ３２は、水平姿勢で、ゆっくりと浮上する。やがて、エギ３２は、水平姿勢で海面に浮く。
【００３５】
このエギ３２は、図１に示されたエギ２と同様に潜行深さを調整しうる。このエギ３２は、浅場の水深又は藻場の藻の状況に合わせて、潜行深さを容易に調整しうる。このエギ３２は、ヘッド３６が海中に位置した状態で浮く。このエギ３２は、エギ２と同様にして海面付近の層でダートさせることができる。
【００３６】
図７は、本発明の更に他の実施形態にかかるエギ４４が示された正面図である。図８は、図７のエギ４４の平面図である。このエギ４４は、ボディ４６、ヒレ６、アイ８、針部１０、重錘１２及びリップ４８を備えている。ここでは、エギ２と異なる構成が説明される。エギ２と同様の構成については、その説明が省略される。
【００３７】
ボディ４６は、ヘッド５０、腹部５２及びテール５４からなる。リップ４８は、木又は合成樹脂からなる。リップ４８は、ボディ４６の前方に位置している。このリップ４８は、ヘッド５０に位置している。このリップ４８は、ボディ４６の前後方向において前端と重錘１２との間に位置している。リップ４８は、ヘッド５０の下面に位置している。リップ４８の形状は、板状である。リップ４８は、ボディ４の下面から突出している。リップ４８は、エギ４４の前方に向かって体高方向下向きに傾斜している。リップ４８は、水受け面５６を備えている。この水受け面５６は、リップ４８の上面に形成されている。この水受け面５６は、平面である。水受け面５６は、エギ４４の前方に向かって体高方向下向きに傾斜している。水受け面５６は、エギ４４の重心より前方に位置している。
【００３８】
このエギ４４は、海面に浮く。エギ４４は、海水より比重が小さい。このエギ４４は、エギ４４の下面を下向きにして浮く。エギ４４は、リップ４８を海中に位置させて浮く。ヘッド５０を海中に位置されて水平姿勢を維持する。このエギ４４は、自然な姿勢が維持される。
【００３９】
このエギ４４は、ラインが引かれることにより、水受け面５６に海水の抵抗を受ける。これにより、エギ４４はヘッド５０を下方に向けて潜行する。このエギ４４は、水受け面５６を海中に位置させて浮いている。これにより、容易に潜行させることができる。ラインが引かれなくなると、エギ４４は海面に向かって浮上し始める。エギ４４は、水平姿勢で、ゆっくりと浮上する。やがて、エギ４４は、水平姿勢で海面に浮く。
【００４０】
このエギ４４は、図１に示されたエギ２と同様に潜行深さを調整しうる。このエギ４４は、浅場の水深又は藻場の藻の状況に合わせて、潜行深さを容易に調整しうる。このエギ４４は、ヘッド５０が水中に位置した状態で浮く。このエギ４４は、エギ２と同様にして水面付近の層でダートさせることができる。
【産業上の利用可能性】
【００４１】
本発明は、イカ釣りに使用される疑似餌、すなわちエギに適用されうる。
【図面の簡単な説明】
【００４２】
【図１】図１は、本発明の一実施形態に係るエギが示された正面図である。
【図２】図２は、図１のエギの平面図である。
【図３】図３は、図１のエギの使用状態が示された概念図である。
【図４】図４は、図１のエギの使用状態が示された概念図である。。
【図５】図５は、本発明の他の実施形態にかかるエギが示された正面図である。
【図６】図６は、図５のエギの平面図である。
【図７】図７は、本発明の更に他の実施形態にかかるエギが示された正面図である。
【図８】図８は、図７のエギの平面図である。
【符号の説明】
【００４３】
２、３２、４４・・・エギ
４、３４、４６・・・ボディ
６・・・ヒレ
８・・・アイ
１０・・・針部
１２・・・重錘
１４・・・ウィング
１６、３６、５０・・・ヘッド
１８、３８、５２・・・腹部
２０、４０、５４・・・テール
２２・・・軸
２４・・・前傘針
２６・・・後傘針
２８、４２、５０・・・水受け面
３０・・・ライン
４８・・・リップ
【図１】
2010068715.tif 000003
【図２】
2010068715.tif 000004
【図３】
2010068715.tif 000005
【図４】
2010068715.tif 000006
【図５】
2010068715.tif 000007
【図６】
2010068715.tif 000008
【図７】
2010068715.tif 000009
【図８】
2010068715.tif 000010